(57)【特許請求の範囲】
【請求項１】
建物本体から張り出される平板状の庇部を備えた玄関ポーチであって、
前記庇部は、枠体と面材とによって形成されるとともに、前記枠体を介して前記建物本体に連結され、前記張り出された側の前記枠体の下方には支柱が連結され、少なくとも一箇所の前記支柱の周辺に配置される上下方向に延設される化粧材の上部が前記枠体に支持され、
前記枠体の側面に沿って前記化粧材の上部を固定させる取付部材が配設され、
軒先側の枠体の少なくとも上面はパラペット材で覆われるとともに、前記取付部材の上面及び側面が前記パラペット材で覆われていることを特徴とする玄関ポーチ。
【請求項２】
前記支柱は、その内部に縦樋が内蔵されていることを特徴とする請求項１に記載の玄関ポーチ。
【請求項３】
前記支柱は、断面視コ字形の支柱部と、その内部に収容される縦樋部とを備えていることを特徴とする請求項２に記載の玄関ポーチ。
【請求項４】
前記化粧材は、格子材であることを特徴とする請求項１乃至３のいずれか一項に記載の玄関ポーチ。
【請求項５】
前記化粧材は、下端が玄関土間から離隔していることを特徴とする請求項１乃至４のいずれか一項に記載の玄関ポーチ。
【発明の詳細な説明】
【技術分野】
【０００１】
本発明は、建物の外部に設けられる玄関ポーチに関するものである。
【背景技術】
【０００２】
従来、玄関ドアから離れた出隅部に格子材などの化粧材を配置して、玄関の目隠しにしたり、外観を向上させたりする玄関ポーチを備えた戸建て住宅が知られている（特許文献１，２など参照）。
【０００３】
これらの文献に開示された玄関ポーチでは、玄関土間の出隅部に柱を立設し、その柱によって化粧材を支持させている。
【特許文献１】意匠登録第１２６９５９６号公報
【特許文献２】意匠登録第１２８１４９０号公報
【発明の開示】
【発明が解決しようとする課題】
【０００４】
このように特許文献１，２に開示されている玄関ポーチでは、化粧材を設置するために、別途、柱や梁などの支持材を設置しなければならず、その支持材の形態によっては化粧材に使用できる材料や形状が制限を受けるおそれがある。
【０００５】
また、断面の大きな支持材が露出することになれば、美観が損なわれるおそれがある。
【０００６】
そこで、本発明は、化粧材の選択枝が広く、優れた外観を創出することが可能な玄関ポーチを提供することを目的としている。
【課題を解決するための手段】
【０００７】
前記目的を達成するために、本発明の玄関ポーチは、建物本体から張り出される平板状の庇部を備えた玄関ポーチであって、前記庇部は、枠体と面材とによって形成されるとともに、前記枠体を介して前記建物本体に連結され、前記張り出された側の前記枠体の下方には支柱が連結され、少なくとも一箇所の前記支柱の周辺に配置される上下方向に延設される化粧材の上部が前記枠体に支持されていること特徴とする。
【０００８】
ここで、前記枠体に沿って前記化粧材の上部を固定させる取付部材が配設されている構成とすることができる。
【０００９】
また、前記支柱は、その内部に縦樋が内蔵されているものであることが好ましい。特に、前記支柱は、断面視コ字形の支柱部と、その内部に収容される縦樋部とを備えた構成とすることができる。
【００１０】
さらに、前記化粧材は、格子材にすることができる。
【００１１】
また、前記化粧材は、下端が玄関土間から離隔しているように構成することができる。
【発明の効果】
【００１２】
このように構成された本発明の玄関ポーチは、建物本体から張り出された平板状の庇部が、枠体と面材とで形成されており、その枠体に化粧材の上部を支持させることができる。
【００１３】
このため、化粧材を取り付けるための支持材を別途、設ける必要がなく、優れた外観を創出可能な化粧材を任意に選択して配置することができる。
【００１４】
また、枠体に沿って化粧材を固定させる取付部材を配設しておくことで、設置位置の制約を受けることなく自由な位置に化粧材を固定することができる。
【００１５】
さらに、庇部を下方から支持させる支柱に縦樋を内蔵させることで、庇部からの排水を、外観を低下させることなく処理することができる。特に、断面視コ字形の支柱部と、その内部に収容させる縦樋部とによって支柱を構成すれば、縦樋を隠したい側面は支柱部で覆うことができるうえに、開口側から容易に縦樋の点検や修繕をおこなうことができる。
【００１６】
また、化粧材を格子材にすることで、玄関ポーチ内の明るさを確保したままで、目隠しをおこなうことができる。
【００１７】
さらに、化粧材の下端を玄関土間から離隔させた吊り構造とすることで、掃除が容易になるとともに、化粧材の下部の汚れや腐蝕を低減することができる。
【発明を実施するための最良の形態】
【００１８】
以下、本発明の最良の実施の形態について図面を参照して説明する。
【００１９】
図１は、本実施の形態の玄関ポーチ２を備えたユニット建物１００の構成を示した斜視図である。また、図２は、玄関ポーチ２を構成する玄関ユニット２０の構成を説明する斜視図である。
【００２０】
まず、図１を参照しながらユニット建物１００の構成から説明すると、このようなユニット建物１００は、複数の建物ユニット１０を上下左右に連結して構成される建物本体と、一階の隅部に外部に突出して設けられる玄関ポーチ２と、庇部３と略同じ高さに床部１４ａが形成されたバルコニー１４とから主に構成される。
【００２１】
この玄関ポーチ２は、建物ユニット１０の外壁１０ａから張り出される庇部３と、図２に示すように庇部３の一側を下方から支持させる支柱４，４Ａと、一方の支柱４が配置された隅部を隠すように配置される化粧材としての格子材５（図１参照）と、支柱４，４Ａを立設させる玄関土間２１とから主に構成される。
【００２２】
また、この庇部３は、図２，３に示すように、枠体３１と面材としての屋根面３２とによって主に構成される。
【００２３】
この枠体３１は、図３に示すように、建物ユニット１０から平行に張り出させるアーム材３１１，３１１と、その軒先側に架け渡される軒先フレーム３１２と、軒元側に架け渡される軒元フレーム３１３とによって、矩形の鋼製枠材として形成される。
【００２４】
また、この軒先フレーム３１２と軒元フレーム３１３との間には、複数のたる木３１４，・・・が架け渡され、その上面には野地板３２１が貼り付けられる。
【００２５】
一方、建物ユニット１０は、図３に示すように、床梁１１と天井梁１２と柱１３とをボックス状に接合して形成されるラーメン構造体を構造部材としている。
【００２６】
そして、庇部３の枠体３１は、２階の建物ユニット１０の床梁１１と柱１３，１３の下端に連結される。すなわち、２階の床梁１１の略中央には、断面視Ｌ字形のジョイント金具３５が取り付けられ、そのジョイント金具３５の玄関ポーチ２側に突出した台座３５１には複数のボルト孔３５ａ，・・・が穿孔されている。また、建物ユニット１０の柱１３，１３の下端にも、ボルト孔１３ａ，・・・が設けられている。
【００２７】
そして、庇部３の軒元フレーム３１３を台座３５１に載置し、台座３５１のボルト孔３５ａにボルト（図示せず）を通して両者を締結する。また、庇部３のアーム材３１１，３１１の端面を柱１３，１３の側面に当接させ、ボルト孔１３ａ，・・・にボルト３４，・・・を通して両者を締結する。これらのボルト３４接合の際には、庇部３はジョイント金具３５の台座３５１で支持されて安定しているので、作業性に優れている。
【００２８】
図４は、建物ユニット１０に玄関ユニット２０を取り付けた構成を説明する断面図である。
【００２９】
この玄関ユニット２０の軒元フレーム３１３は、建物ユニット１０の２階の床梁１１に並設され、屋根面３２は２階の床梁１１と略同じ高さに形成される。また、この屋根面３２の下方に平行して軒天板３２２が貼り付けられ、その軒天板３２２の一部は切り欠かれてダウンライト３６が設置される。
【００３０】
さらに、軒先側の枠体３１である軒先フレーム３１２の上面及び側面は、パラペット材３８で覆われている。また、この軒先フレーム３１２の側面には、木製の角材や板材が化粧取付材３７として固定されており、その前面がパラペット材３８で覆われている。
【００３１】
さらに、軒先フレーム３１２の下方には、支柱としての縦樋内蔵の支柱４が立設される。
【００３２】
この支柱４は、円筒状の支柱部４１と、その内部に収容される縦樋部４２とから主に構成される。
【００３３】
次に、軒先フレーム３１２に化粧材を取り付ける際の種々の形態について、図５を参照しながら説明する。
【００３４】
ここで、この軒先フレーム３１２に上部が支持される化粧材は、上下方向に延設される長尺状の部材であって、例えば角材や外壁パネルなどの材料が使用される。
【００３５】
図５（ａ）は、軒先フレーム３１２に化粧材としての格子材５を取付部材としての化粧取付材３７に固定する形態を示した部分断面図である。
【００３６】
ここでは、軒先フレーム３１２の側面に沿って木製の板材が化粧取付材３７として固定されており、その上面及び前面がパラペット材３８によって被覆されている。
【００３７】
そして、パラペット材３８の側面に、木桟などからなる格子材５の裏面を当接させ、格子材５の前面から打ち込んだ長尺ビス５１，５１の先端を化粧取付材３７に埋設させる。
【００３８】
このように鋼製の軒先フレーム３１２の側面に木製の化粧取付材３７を配置することによって、容易に格子材５を長尺ビス５１などで取り付けることができる。すなわち、この化粧取付材３７は、軒先フレーム３１２やアーム材３１１などの枠体３１に沿って配設されており、意匠に合わせて自由な位置に格子材５を固定することができる。
【００３９】
また、化粧取付材３７は、カバー材としてのパラペット材３８で被覆されて外部に露出されていないので、格子材５を取り付けない箇所があっても外観が損なわれることがない。
【００４０】
一方、図５（ｂ）は、軒先フレーム３１２の側面に化粧材としての壁材６を固定する形態を示した部分断面図である。
【００４１】
ここでは、軒先フレーム３１２の上面には、パラペット材３８Ａを取り付けるための木桟３８１が設置されている。また、軒先フレーム３１２の側面の上部に沿って、取付部材としての取付金具６４の一端が溶接などによって接合されている。
【００４２】
この取付金具６４は、他端が外側に向けて延出されており、その張り出された取付金具６４の下面に壁材６の上端面を当接させてビス６３によって両者を連結している。また、この取付金具６４と壁材６の上端は、カバー材６１によって覆われ、そのカバー材６１の端部はビス６２によって木桟３８１に固定されている。
【００４３】
このように、取付金具６４が軒先フレーム３１２やアーム材３１１などの枠体３１に沿って配設されていれば、意匠に合わせて自由な位置に壁材６を固定することができる。
【００４４】
また、取付金具６４は、カバー材６１で覆われて外部に露出されていないので、壁材６を取り付けない箇所があっても外観が損なわれることがない。
【００４５】
このように同じ形態の鋼製の軒先フレーム３１２を使って、格子材５や壁材６など様々な種類の化粧材を枠体３１に沿った任意の位置に取り付けることができる。
【００４６】
次に、本実施の形態の玄関ポーチ２の作用について説明する。
【００４７】
このように構成された本実施の形態の玄関ポーチ２は、建物ユニット１０の２階の床梁１１から張り出された平板状の庇部３が、枠体３１と屋根面３２とで形成されており、その枠体３１に玄関ポーチ２の隅部及び側面に化粧材として配置される格子材５や壁材６の上部を支持させることができる（図１参照）。
【００４８】
このため、格子材５や壁材６を取り付けるための支持材を別途、設ける必要がなく、優れた外観を創出可能な化粧材を任意に選択して配置することができる。また、枠体３１に沿った位置であれば、いずれの位置であっても格子材５や壁材６などの化粧材を簡単に取り付けることができる。
【００４９】
また、庇部３を２階の床梁１１に取り付けた場合、図１に示すような隣接する２階の建物ユニット１０から張り出させたバルコニー１４の床部１４ａと同じ高さとすることができ、水平方向に連続した部位によって優れた外観を創出することができる。
【００５０】
さらに、庇部３の屋根面３２と隣接するバルコニー１４の床部１４ａとが同じ高さに形成されていれば、広いバルコニーを構築することも容易にできる。
【００５１】
また、庇部３を下方から支持させる支柱４に縦樋部４２を内蔵させることで、庇部３からの排水を、外観を低下させることなく処理することができる。
【００５２】
すなわち、庇部３の屋根面３２に落ちた雨水は、図２に二点鎖線の矢印で示すように、側縁に設けられた箱樋３３に向かって流れ込み、そこから支柱４に内蔵された縦樋部４２を通って排出される。
【００５３】
このため、縦樋を支柱４とは別に設ける場合は、この縦樋が外部に露出して、外観を損ねるおそれがある。これに対して、縦樋部４２を内蔵させることによって、縦樋が外部に露出することが無くなり、優れた外観を創出することができる。
【００５４】
また、図１に示すように、玄関ポーチ２の出隅部に、格子材５を平面視Ｌ字状に配置にすることで、玄関ポーチ２内の明るさを確保したままで、玄関ドアを開けたときの目隠しにすることができる。
【００５５】
さらに、格子材５の下端を玄関土間２１から離隔させた吊り構造であれば、格子材５の下端付近に埃や塵が溜まっても簡単に除去できるので掃除が容易になる。
【００５６】
また、格子材５の下端が玄関土間２１と接触していなければ、下部が汚れ難いうえに、常に乾燥状態を確保することができるので、格子材５の汚れや腐蝕を低減することができる。
【実施例】
【００５７】
以下、前記した実施の形態とは別の形態の実施例について、図６を参照しながら説明する。なお、前記実施の形態で説明した内容と同一乃至均等な部分の説明については同一符号を付して説明する。
【００５８】
この実施例では、前記実施の形態で説明した円柱状の支柱４とは異なる縦樋内蔵支柱７について説明する。
【００５９】
この縦樋内蔵支柱７は、断面視コ字形の支柱部７１と、そのコの字の内部に収容させる円筒形の縦樋部７２と、軒先フレーム３１２に固定するための固定部７３とによって主に構成されている。
【００６０】
この固定部７３は、支柱部７１の上端を直角に折り曲げて形成されたフランジで、固定ボルト７３ａによって軒先フレーム３１２の下面に固定される。
【００６１】
また、この縦樋内蔵支柱７は、断面視コ字形の開口側が軒天板３２２とは反対の外側を向いており、この開口側を前記実施の形態で説明した格子材５などの化粧材で覆うことによって、外側にも内側にも縦樋部７２を露出させない外観を創出することができる。
【００６２】
また、格子材５などの化粧材は簡単に取り外すことができるので、開口側から容易に縦樋部７２の点検や修繕をおこなうことができる。
【００６３】
なお、他の構成及び作用効果については、前記実施の形態と略同様であるので説明を省略する。
【００６４】
以上、図面を参照して、本発明の最良の実施の形態を詳述してきたが、具体的な構成は、この実施の形態及び実施例に限らず、本発明の要旨を逸脱しない程度の設計的変更は、本発明に含まれる。
【００６５】
例えば、前記実施の形態又は実施例では、支柱４又は縦樋内蔵支柱７に縦樋を内蔵させたが、これに限定されるものではなく、縦樋を別途、化粧材で隠せる位置に設ける構成であってもよい。
【図面の簡単な説明】
【００６６】
【図１】本発明の最良の実施の形態の玄関ポーチを備えたユニット建物の構成を説明する斜視図である。
【図２】玄関ユニットの構成を説明する斜視図である。
【図３】建物ユニットに庇部を取り付ける工程を説明する説明図である。
【図４】玄関ポーチの構成を説明する断面図である。
【図５】化粧材の取り付け構造を説明する図であって、（ａ）は化粧材として格子材を取り付けた構成の断面図、（ｂ）は化粧材として壁材を取り付けた構成の断面図である。
【図６】実施例の縦樋内蔵支柱の構成を説明する部分拡大斜視図である。
【符号の説明】
【００６７】
１            建物ユニット（建物本体）
２            玄関ポーチ
２１          玄関土間
３            庇部
３１          枠体
３２          屋根面（面材）
３７          化粧取付材（取付部材）
４            支柱
４１          支柱部
４２          縦樋部（縦樋）
５            格子材（化粧材）
６            壁材（化粧材）
６４          取付金具（取付部材）
７            縦樋内蔵支柱（支柱）
７１          支柱部
７２          縦樋部（縦樋）
【図１】
0005209931.tif 000002
【図２】
0005209931.tif 000003
【図３】
0005209931.tif 000004
【図４】
0005209931.tif 000005
【図５】
0005209931.tif 000006
【図６】
0005209931.tif 000007